(57)【要約】      （修正有）【課題】デジタルＴＶ受信機のＶＳＢ同期信号検出回路の提供。【解決手段】データ選択部６１０は第１データ又は第２データのうち一つを受信して出力する。ＰＮ５１１シーケンス検出部６２０は、受信される第１または第２データの一つを利用して相関動作を行い、ＰＮ５１１シーケンスに対応する相関値を出力する。比較バッファ部６３０は、前記ＰＮ５１１シーケンス検出部６２０からの相関値の最大相関値を保存し、次の最大相関値が有効な値であるか否かを判断する。同期信号位置決定部６４０は、比較バッファ部６３０から出力される前記第２制御信号に応答して次のフィールド同期信号及びセグメント同期信号の位置を決定する。同期信号有効決定部６４０は、フィールド同期信号が有効に検出されると判断されれば、有効検出信号を発生させる。ＦＳＭ６６０は、前記有効検出信号に幾つのフィールドの間にフィールド同期信号が安定的に検出されるか否かを判断する。【選択図】図６
2004242325.tif 000002
【特許請求の範囲】
【請求項１】
第１データまたは第２データのうち一つを選択して出力するデータ選択部と、
前記第１データまたは第２データを受信し、第１臨界値に応答して受信された前記第１または第２データのシンボルの相関値のうちＰＮ５１１シーケンスに対応する相関値及び第１制御信号を出力するＰＮ５１１シーケンス検出部と、
前記ＰＮ５１１シーケンス検出部から出力される相関値のうち最大相関値を保存し、前記最大相関値の発生したシンボル位置を第２制御信号として発生し、次に受信される相関値のうち最大である次の最大相関値と第２臨界値とを比較し、比較結果によって第３制御信号を発生させる比較バッファ部と、
前記第２制御信号に応答して次のフィールド同期信号及びセグメント同期信号の位置を決定して第４制御信号を発生させる同期信号位置決定部と、
前記第３制御信号及び前記第４制御信号に応答してフィールド同期信号が有効に検出されると判断されれば、有効検出信号を第１レベルに発生し、前記内部固定信号を受信する同期信号有効決定部と、
前記有効検出信号に応答してフィールド同期信号が安定的に検出されているか否かによって前記内部固定信号を発生させるＦＳＭと、
前記データ選択部から出力される前記第１または第２データのＰＮ６３シーケンスに対応する相関値を検出し、フィールド同期信号の符号を決定する第５制御信号を発生させるＰＮ６３相関器と、
前記第１、第４及び第５制御信号と前記内部固定信号とに応答して色々な同期信号を出力する同期信号発生部と、を備えることを特徴とするＶＳＢ同期信号検出回路。
【請求項２】
前記データ選択部は、
ＶＳＢレベル選択信号、動作モード選択信号、データ選択信号、固定選択信号、外部固定信号及び内部固定信号に応答して前記第１データまたは前記第２データのうち一つを選択して出力することを特徴とする請求項１に記載のＶＳＢ同期信号検出回路。
【請求項３】
前記ＰＮ５１１シーケンス検出部は、
前記第１または第２データのシンボルを受信してＰＮ５１１シーケンスを探すための相関値を発生させるスライディングＰＮ５１１相関器と、
前記第１臨界値に応答して前記スライディングＰＮ５１１相関器から出力される相関値のうち前記第１臨界値より大きい値だけを選択して前記ＰＮ５１１シーケンスに対応する相関値として出力し、色々な同期信号を出力する前記同期信号発生部を動作させるための前記第１制御信号を発生させる相関フィルターと、を備え、
前記第１臨界値は、フィールド同期信号を検出するためであることを特徴とする請求項１に記載のＶＳＢ同期信号検出回路。
【請求項４】
前記比較バッファ部は、
前記次の最大相関値がＰＮ５１１シーケンスに対応する有効な相関値であることを判断するために前記次の最大相関値と前記第２臨界値とを比較することを特徴とする請求項１に記載のＶＳＢ同期信号検出回路。
【請求項５】
前記比較バッファ部は、
ＰＮ５１１シーケンスに対応する相関値のうち最大相関値を受信して保存し、前記第２制御信号を発生させるバッファ部と、
前記バッファ部に入力される次の最大相関値が前記第２臨界値より大きければ、前記第３制御信号を第１レベルに発生し、前記次の最大相関値が前記第２臨界値より小さければ、前記第３制御信号を第２レベルに発生する比較部と、を備えることを特徴とする請求項１に記載のＶＳＢ同期信号検出回路。
【請求項６】
前記第２臨界値は、
前記バッファ部に保存された最大相関値の一定比率に対応する値であることを特徴とする請求項５に記載のＶＳＢ同期信号検出回路。
【請求項７】
一定比率は、
７５％であることを特徴とする請求項６に記載のＶＳＢ同期信号検出回路。
【請求項８】
前記同期信号位置決定部は、
前記第２制御信号に応答して次のフィールド同期信号及び次のセグメント同期信号の位置を決定するためにシンボルの数をカウントするカウンター部と、
前記カウンター部の出力に応答して次のフィールド同期信号及び次のセグメント同期信号の位置が決定されれば、前記第４制御信号を第１レベルに発生し、次のフィールド同期信号及び次のセグメント同期信号の位置が決定されていなければ、前記第４制御信号を第２レベルに発生する計算部と、を備えることを特徴とする請求項１に記載のＶＳＢ同期信号検出回路。
【請求項９】
前記カウンター部は、
前記第２制御信号に応答してセグメント同期信号の位置を決定するために８３２個のシンボルをカウントする第１カウンターと、
前記第２制御信号に応答してフィールド同期信号の位置を決定するために３１３個のセグメントをカウントする第２カウンターと、を備えることを特徴とする請求項８に記載のＶＳＢ同期信号検出回路。
【請求項１０】
前記同期信号有効決定部は、
前記第３制御信号及び前記第４制御信号に応答してフィールド同期信号の区間が有効に検出されると判断されれば、有効検出信号を第１レベルに発生する有効検出信号発生部と、
前記ＦＳＭから発生する内部固定信号を受信する固定検出部と、を備えることを特徴とする請求項１に記載のＶＳＢ同期信号検出回路。
【請求項１１】
前記ＦＳＭは、
前記有効検出信号を受信して保存する第１及び第２シフトレジスタと、
前記第１シフトレジスタに保存された有効検出信号のレベルを検出して第１レベルの有効検出信号の数が第２レベルの有効検出信号の数より大きければ、第１レベルを有する第１出力信号を発生し、第１レベルの有効検出信号の数が第２レベルの有効検出信号の数より小さければ、第２レベルを有する第１出力信号を発生させるレベル検索部と、  前記第２シフトレジスタに保存された有効検出信号を論理和して第２出力信号を発生させる第１論理和手段と、
前記内部固定信号と前記第１出力信号とを論理和する第２論理和手段と、
前記第２論理和手段の出力と前記第２出力信号とを論理積する論理積手段と、
前記論理積手段の出力を遅延させて前記内部固定信号として出力する遅延部と、を備えることを特徴とする請求項１に記載のＶＳＢ同期信号検出回路。
【請求項１２】
前記ＦＳＭは、
前記有効検出信号を保存し、保存された前記有効検出信号のうち第１レベルを有する前記有効検出信号の数が第２レベルを有する前記有効検出信号の数より大きければ、前記内部固定信号を活性化させ、第１レベルを有する前記有効検出信号の数が第２レベルを有する前記有効検出信号の数より小さければ、前記内部固定信号を非活性化させることを特徴とする請求項１に記載のＶＳＢ同期信号検出回路。
【請求項１３】
前記データ選択部は、
入力される第１または第２データが１５ＶＳＢ信号であれば前記第１データを選択して出力し、８ＶＳＢ信号であれば動作モード選択信号によって第１データまたは第２データのうち一つを選択して出力することを特徴とする請求項１に記載のＶＳＢ同期信号検出回路。
【請求項１４】
前記データ選択部は、
前記動作モード選択信号が自動動作モードを選択すれば、前記第１データを選択して出力しつつ前記内部固定信号に応答して前記第２データを選択して出力し、
前記動作モード選択信号が手動動作モードを選択すれば、データ選択信号によって選択された前記第１データまたは第２データのうち一つを選択して出力することを特徴とする請求項１に記載のＶＳＢ同期信号検出回路。
【請求項１５】
前記第１データは、
復調器の出力であり、前記第２データは位相追跡ループの出力であることを特徴とする請求項１に記載のＶＳＢ同期信号検出回路。
【請求項１６】
第１データまたは第２データのうち一つを選択して出力するデータ選択部と、
前記第１データまたは第２データを受信し、第１臨界値に応答して受信された前記第１または第２データのシンボルの相関値のうちＰＮ５１１シーケンスに対応する相関値及び第１制御信号を出力するＰＮ５１１シーケンス検出部と、
前記ＰＮ５１１シーケンス検出部から出力される相関値のうち最大相関値を保存し、前記最大相関値の発生したシンボル位置を第２制御信号として発生するバッファ部と、
前記第２制御信号に応答して次のフィールド同期信号及びセグメント同期信号の位置を決定して第４制御信号を発生させる同期信号位置決定部と、
前記データ選択部から出力される前記第１または第２データのＰＮ６３シーケンスに対応する相関値を検出し、フィールド同期信号の符号を決定する第５制御信号を発生させるＰＮ６３相関器と、
前記第１、第４及び第５制御信号と前記内部固定信号とに応答して色々な同期信号を出力する同期信号発生部と、を備えることを特徴とするＶＳＢ同期信号検出回路。
【請求項１７】
前記データ選択部は、
ＶＳＢレベル選択信号、動作モード選択信号、データ選択信号、固定選択信号、外部固定信号及び内部固定信号に応答して前記第１データまたは前記第２データのうち一つを選択して出力することを特徴とする請求項１６に記載のＶＳＢ同期信号検出回路。
【請求項１８】
前記ＰＮ５１１シーケンス検出部は、
前記第１または第２データのシンボルを受信してＰＮ５１１シーケンスを探すための相関値を発生させるスライディングＰＮ５１１相関器と、
前記第１臨界値に応答して前記スライディングＰＮ５１１相関器から出力される相関値のうち前記第１臨界値より大きい値だけを選択して前記ＰＮ５１１シーケンスに対応する相関値として出力し、色々な同期信号を出力する前記同期信号発生部を動作させるための前記第１制御信号を発生させる相関フィルターと、を備え、
前記第１臨界値は、フィールド同期信号を検出するためのものであることを特徴とする請求項１６に記載のＶＳＢ同期信号検出回路。
【請求項１９】
前記同期信号位置決定部は、
前記第２制御信号に応答して次のフィールド同期信号及び次のセグメント同期信号の位置を決定するためにシンボルの数をカウントするカウンター部と、
前記カウンター部の出力に応答して次のフィールド同期信号及び次のセグメント同期信号の位置が決定されれば、前記位置信号を第１レベルに発生し、次のフィールド同期信号及び次のセグメント同期信号の位置が決定されていなければ、前記位置信号を第２レベルに発生する計算部と、を備えることを特徴とする請求項１６に記載のＶＳＢ同期信号検出回路。
【請求項２０】
前記カウンター部は、
前記第２制御信号に応答してセグメント同期信号の位置を決定するために８３２個のシンボルをカウントする第１カウンターと、
前記第２制御信号に応答してフィールド同期信号の位置を決定するために３１３個のセグメントをカウントする第２カウンターと、を備えることを特徴とする請求項１８に記載のＶＳＢ同期信号検出回路。
【請求項２１】
前記データ選択部は、
前記ＶＳＢレベル選択信号が第１レベルＶＳＢ信号を選択すれば、前記第２データを選択して出力し、第２レベルＶＳＢ信号を選択すれば、動作モード選択信号によって第１データまたは第２データのうち一つを選択して出力し、
前記第１レベルＶＳＢ信号は１５ＶＳＢ信号であり、前記第２レベルＶＳＢ信号は８ＶＳＢ信号であることを特徴とする請求項１６に記載のＶＳＢ同期信号検出回路。
【請求項２２】
前記データ選択部は、
前記動作モード選択信号が自動動作モードを選択すれば、前記第１データを選択して出力していて前記外部固定信号に応答して前記第２データを選択して出力し、
前記動作モード選択信号が手動動作モードを選択すれば、データ選択信号によって選択された前記第１データまたは第２データのうち一つを選択して出力することを特徴とする請求項１６に記載のＶＳＢ同期信号検出回路。
【請求項２３】
前記第１データは、
復調器の出力であり、前記第２データは位相追跡ループの出力であることを特徴とする請求項１６に記載のＶＳＢ同期信号検出回路。
【請求項２４】
第１データ及び第２データのうち一つに応答して同期信号発生と関連した第１制御信号を発生させる手段と、
次のフィールド同期信号及びセグメント同期信号の位置に関連した情報を含む位置信号を発生させる手段と、
前記フィールド同期信号の符号を決定するための符号信号を発生させる手段と、
前記制御信号、位置信号及び符号信号に応答して色々なタイプの同期信号を発生させる手段と、を備えることを特徴とするＶＳＢ同期信号検出回路。
【請求項２５】
前記制御信号発生手段は、
前記第１または第２データのシンボルを受信してＰＮ５１１シーケンスを探すための相関値を発生させるスライディングＰＮ５１１相関器と、
前記第１臨界値に応答して前記スライディングＰＮ５１１相関器から出力される相関値のうち前記第１臨界値より大きい値だけを選択して前記ＰＮ５１１シーケンスに対応する相関値として出力し、色々な同期信号を出力する前記同期信号発生部を動作させるための前記第１制御信号を発生させる相関フィルターと、を備え、
前記第１臨界値は、フィールド同期信号を検出するためであることを特徴とする請求項２４に記載のＶＳＢ同期信号検出回路。
【請求項２６】
前記位置信号発生手段は、
前記相関フィルターから受信される相関値のうち最大相関値を受信して保存し、最大相関値が発生するシンボルの位置に関する情報を有する第２制御信号を発生させるバッファ部と、
前記第２制御信号に応答して次のフィールド同期信号及びセグメント同期信号の位置を決定し、前記第２制御信号に応答して前記位置信号を発生させる同期信号位置決定部と、を備えることを特徴とする請求項２４に記載のＶＳＢ同期信号検出回路。
【請求項２７】
前記第１データまたは前記第２データが１５ＶＳＢ信号であれば、前記第１データが選択され、
もし第１またはのに２データが８ＶＳＢ信号であれば、動作モード選択信号に応答して前記第１データまたは前記２データのうち一つが選択されることを特徴とする請求項２４に記載のＶＳＢ同期信号検出回路。
【請求項２８】
ＶＳＢレベル選択信号、動作モード選択信号、データ選択信号及び外部固定信号に応答して前記第１データまたは前記第２データが選択されることを特徴とする請求項２４に記載のＶＳＢ同期信号検出回路。
【請求項２９】
前記動作モード信号に応答して自動動作モードが選択されれば、前記外部固定信号に応答して前記第１データが前記第２データ以前に選択され、
前記動作モード信号に応答して手動動作モードが選択されれば、前記データ選択信号に応答して前記第１データまたは前記第２データのうち一つが選択されることを特徴とする請求項２８に記載のＶＳＢ同期信号検出回路。
【請求項３０】
第１データ及び第２データのうち一つを選択する段階と、
選択された前記第１データまたは第２データに応答して同期信号発生と関連した第１制御信号を発生させる段階と、
次のフィールド同期信号及びセグメント同期信号の位置に関連した情報を含む位置信号を発生させる段階と、
前記フィールド同期信号の符号を決定するための符号信号を発生させる段階と、
前記制御信号、位置信号及び符号信号に応答して色々なタイプの同期信号を発生させる段階と、を備えることを特徴とするＶＳＢ同期信号検出方法。
【請求項３１】
前記選択する段階は、
前記第１データまたは前記第２データが１５ＶＳＢ信号であれば、前記第１データを選択する段階と、
もし第１またはのに２データが８ＶＳＢ信号であれば、動作モード選択信号に応答して第１データ及び第２データのうち一つが選択される段階と、を備えることを特徴とする請求項３０に記載のＶＳＢ同期信号検出方法。
【請求項３２】
前記選択する段階は、
ＶＳＢレベル選択信号、動作モード選択信号、データ選択信号及び外部固定信号に応答して前記第１データまたは前記第２データが選択する段階を備えることを特徴とする請求項３０に記載のＶＳＢ同期信号検出方法。
【請求項３３】
前記動作モード信号に応答して自動動作モードが選択されれば、前記外部固定信号に応答して前記第１データが前記第２データ以前に選択され、
前記動作モード信号に応答して手動動作モードが選択されれば、前記データ選択信号に応答して前記第１データまたは前記第２データのうち一つが選択されることを特徴とする請求項３２に記載のＶＳＢ同期信号検出方法。
【請求項３４】
請求項３０に記載の方法によってＶＳＢ同期信号を発生させるＶＳＢ同期信号検出回路。
【発明の詳細な説明】
【技術分野】
【０００１】
本発明はデジタルＴＶ受信機に係り、特に、デジタルＴＶ受信機での同期信号を検出するための同期信号検出回路に関する。
【背景技術】
【０００２】
最近、デジタルＴＶ（ＤＴＶ：Ｄｉｇｉｔａｌ Ｔｅｌｅｖｉｓｉｏｎ）分野では強靭なＤＴＶ受信機やデジタルセットトップボックスに関する研究が多く行われている。ＡＴＳＣ（Ａｄｖａｎｃｅｄ Ｔｅｌｅｖｉｓｉｏｎ Ｓｕｂ Ｃｏｍｍｉｔｔｅｅ）では、ＤＴＶ信号送信のための残留側波帯（ＶＳＢ：Ｖｅｓｔｉｇｉａｌ Ｓｉｄｅ Ｂａｎｄ）信号を規定している。
【０００３】
一つのキャリアを有するＶＳＢ信号形式の地上波放送信号は、多重経路下でＤＴＶ受信機によって受信され難い。したがって、多重経路下でＶＳＢ信号を受信できる堅固な受信システムは必須的である。ＶＳＢ信号を受信するためにはフィールド同期信号またはセグメント同期信号の正確な受信が必要である。
図１は、ＤＴＶに伝送されるＶＳＢデータフレームの構造を示す図面である。
図２は、図１のフィールド同期信号の具体的な構造を示す図面である。
【０００４】
図１を参照すれば、データフレームは、二つのフィールドを備える。一つのフィールドは、３１３個のセグメントよりなり、各フィールドの最初のセグメントがフィールド同期信号である。フィールド同期信号は、８３２シンボルを備え、最初４シンボルは図２に示されたように＋５、−５、−５、＋５レベルを有するセグメント同期信号である。
セグメント同期信号は、各セグメントの初めを知らす信号である。フィールド同期信号は、８３２シンボルのうち最初４シンボルであるセグメント同期信号を除外した残りの８２８シンボルを意味する。
【０００５】
フィールド同期信号は、データフィールド（ｄａｔａ＋ＦＥＣ（Ｆｏｒｗａｒｄ Ｅｒｒｏｒ Ｃｏｒｒｅｃｔｉｏｎ））の開始点を表し、チャンネル等化器の基準信号として使われ、ＮＴＳＣ除去フィルター（ＮＦＲ：ＮＴＳＣ Ｒｅｊｅｃｔｉｏｎ Ｆｉｌｔｅｒ）を使用するか否かを決定する基準信号として使われる。
またチャンネル特性を確認するのに使われ、位相追跡器のループパラメータを決定するのに使われることもある。
【０００６】
図２を参照すれば、フィールド同期信号は、ＰＮ（Ｐｓｅｕｄｏ−ｒａｎｄｏｍ Ｎｕｍｂｅｒ）５１１シーケンス、ＰＮ６３シーケンス、ＶＳＢｍｏｄｅ、ＲＥＳＥＲＶＥＤのようなシーケンスを有している。ＰＮ５１１シーケンスは、チャンネル等化器のためのトレーニングシーケンスとして使われる５１１シンボルレングスのシーケンスである。
ＰＮ６３シーケンスも、ＰＮ５１１シーケンスと同様にチャンネル等化器のためのトレーニングシーケンスである。ＰＮ６３シーケンスは、一つのフレーム内で最初のフィールドであるか二番目のフィールドであるかを区別するために、３つのＰＮ６３シーケンスのうちのＰＮ６３シーケンスの符号極性が毎フィールドごとに反対に変わる。
ＶＳＢｍｏｄｅは、２４シンボルレングスのシーケンスであり、現在伝送されているデータの伝送モードを表す。すなわち、データ伝送方式が１５ＶＳＢ方式であるか、８ＶＳＢ方式であるかを表す。ＲＥＳＥＲＶＥＤは、予備空間として残した１０４シンボルレングスの空間である。
【０００７】
図３は、一般的なＤＴＶ受信機の構造を示すブロック図である。
図３を参照すれば、まず、ＤＴＶ受信機で受信されたデータＤＡＴＡがアナログデジタルコンバータ（ＡＤＣ：Ａｎａｌｏｇ−ｔｏ−Ｄｉｇｉｔａｌ Ｃｏｎｖｅｒｔｅｒ）３１０によってデジタルデータに転換される。転換されたデジタルデータは、復調器３２０に入力されて復調される。
【０００８】
復調器３２０の出力は、ＮＲＦ３３０及び等化器３４０を通じて位相追跡ループ（ＰＴＬ：Ｐｈａｓｅ Ｔｒａｃｋｉｎｇ Ｌｏｏｐ）３５０に印加される。位相追跡ループ３５０の出力は、誤差補正器（ＦＥＣ：Ｆｏｒｗａｒｄ Ｅｒｒｏｒ Ｃｏｒｒｅｃｔｉｏｎ）３６０を通じて出力される。
同期検出回路３７０は、復調器３２０から出力されるデータＤＡＴＡ１を受信して同期信号ＳＹＮＣ ＳＩＧＮＡＬＳを検出するか、またはＰＴＬ３５０から出力されるデータＤＡＴＡ２を受信して同期信号ＳＹＮＣ ＳＩＧＮＡＬＳを検出する。
【０００９】
図４は、図３の同期検出回路を示すブロック図である。
図５は、図３の同期検出回路から出力される同期信号を説明するタイミング図である。
図４を参照すれば、図３の復調器３２０から出力されるデータＤＡＴＡ１が４シンボルスライディング相関器４１０に印加される。４シンボルスライディング相関器４１０は、入力されるデータＤＡＴＡ１のセグメント同期信号の位置を探すためにデータＤＡＴＡ１の４シンボルごとに相関を行って相関値を出力する。
【００１０】
出力された相関値は、バッファ４１５に保存される。バッファ４１５は、８３２シンボルに対応するアドレスを有する。４シンボルスライディング相関器４１０から出力される相関値のうちセグメント同期信号の位置に対応する相関値は非常に大きく、残りの相関値は非常に小さいであろう。
したがって、バッファ４１５に保存された相関値のうち残りの相関値に比べて非常に大きい相関値が保存されたアドレスがデータＤＡＴＡ１のセグメント同期信号が始まるシンボル位置となる。最大相関値は、最大値検出器４２０によって検出される。
【００１１】
最大値検出器４２０は、最大相関値及び最大相関値が保存されたバッファ４１５のアドレスを検出して出力する。すなわち、最大値検出器４２０によってデータＤＡＴＡ１のセグメント同期信号の始まるシンボル位置が分かる。第１カウンター４２５の最大相関値が発生したアドレスを“０”に設定し、カウントを開始する。
第１カウンター４２５は、８３２をカウントすれば、再び“０”にリセットされる。一つのセグメントが８３２シンボルよりなるので、第１カウンター４２５は、最大値検出器４２０によって検出されたセグメント同期信号以後のセグメント同期信号の位置を推定する。
【００１２】
セグメント同期信号は、図５（Ｂ）に示されている。図５（Ａ）は、毎フィールドごとに発生するフィールド同期信号を連結し続けて示した図面である。図５（Ｂ）は、セグメント同期信号の開始位置を１ビットの信号で示している。一つのフィールドに３１３個のセグメント同期信号が存在するので、１ビット信号を３１３個示さなければならないが、図５（Ｂ）には省略されている。
【００１３】
セグメント同期信号の位置が確認されれば、ＰＮ５１１相関器４３０とＰＮ６３相関器４５０とが動作する。ＰＮ５１１相関器４３０は、毎セグメントごとに相関動作を行って相関値を出力する。比較器４３５は相関値を受信し、所定の臨界値と比較する。臨界値は、フィールド同期信号に対応する相関値のサイズを有する。
したがって、ＰＮ５１１相関器４３０から出力される相関値が臨界値より大きければ、臨界値より大きい相関値の発生したシンボルの位置がフィールド同期信号の位置となる。第２カウンター４４０は、第１カウンター４２５と同様に臨界値より大きい相関値の発生したシンボルの位置を“０”に設定し、カウントを開始する。
【００１４】
第２カウンター４４０は、ＰＮ５１１相関器４３０に入力されるセグメントの数をカウントし、３１３をカウントすれば、再び“０”にリセットされる。一つのフィールドが３１３セグメントよりなるので、第２カウンター４４０は、比較器４３５から出力されたフィールド同期信号以後のフィールド同期信号の位置を推定する。
ＰＮ６３相関器４５０も相関動作を行って相関値を出力する。符号発生器４５５は、ＰＮ６３相関器４５０から出力される相関値を利用して毎フィールドごとにフィールド同期信号の符号極性を変換させる信号を発生させる。
フィールド同期信号発生器４４５は、第２カウンター４４０からフィールド同期信号の位置を受信し、符号発生器４５５からフィールド同期信号の符号極性を受信してフィールド同期信号を発生させる。フィールド同期信号発生器４４５は、フィールド同期信号だけでなく、色々なタイミング特性を有する同期信号を発生させる。
【００１５】
図５（Ｃ）にフィールド同期信号が示されている。フィールド同期信号の開始位置を１ビットの信号で示している。図５（Ｄ）は、符号発生器４５５から出力される符号極性を示す信号である。一つのフィールドごとに極性が反対に変換される。
このように従来の同期信号検出回路３７０は、セグメント同期信号の位置を先に把握した後、セグメント同期信号の位置に基づいてフィールド同期信号の位置を捜し出す方法を利用する。ガウスまたはグランドアライアンスアンサンブルのような良いチャンネル環境では、従来の同期信号検出回路３７０は優秀に動作する。
しかし、多様なチャンネル環境を有するブラジルチャンネルでは、セグメント同期信号の位置を捜し難いため、同期信号検出回路３７０を利用した同期信号を検出し難い。
【発明の開示】
【発明が解決しようとする課題】
【００１６】
本発明が解決しようとする技術的課題は、フィールド同期信号の位置を先に捜し出した後、フィールド同期信号の位置に基づいて多様な同期信号を発生させるＶＳＢ同期信号検出回路を提供することである。
【課題を解決するための手段】
【００１７】
前記課題を達成するための本発明の第１実施例によるＶＳＢ同期信号検出回路は、データ選択部、ＰＮ５１１シーケンス検出部、比較バッファ部、同期信号位置決定部、同期信号有効決定部、ＦＳＭ（Ｆｉｎｉｔｅ Ｓｔａｔｅ Ｍａｃｈｉｎｅ）、ＰＮ６３相関器及び同期信号発生部を備えることを特徴とする。
データ選択部は、第１データまたは第２データのうち一つを選択して出力する。
ＰＮ５１１シーケンス検出部は、フィールド同期信号を検出するための第１臨界値に応答して受信された前記第１または第２データのシンボルの相関値のうちＰＮ５１１シーケンスに対応する相関値及び第１制御信号を出力する。
【００１８】
比較バッファ部は、前記ＰＮ５１１シーケンス検出部から出力される相関値のうち最大相関値を保存し、前記最大相関値の発生したシンボル位置を第２制御信号として発生し、次に受信される相関値のうち最大である次の最大相関値と第２臨界値とを比較し、比較結果によって第３制御信号を発生させる。
同期信号位置決定部は、前記第２制御信号に応答して次のフィールド同期信号及びセグメント同期信号の位置を決定して第４制御信号を発生させる。
同期信号有効決定部は、前記第３制御信号及び前記第４制御信号に応答してフィールド同期信号区間が有効に検出されると判断されれば、有効検出信号を発生し、前記内部固定信号を受信する。
【００１９】
ＦＳＭは、前記有効検出信号に応答してフィールド同期信号が安定的に検出されるか否かによって前記内部固定信号を発生させる。ＰＮ６３相関器は、前記データ選択部から出力される前記第１または第２データのＰＮ６３シーケンスに対する相関値を検出し、フィールド同期信号の符号を決定する第５制御信号を発生させる。
同期信号発生部は、前記第１、第４及び第５制御信号と前記内部固定信号とに応答して色々な同期信号を出力する。
【００２０】
前記データ選択部は、ＶＳＢレベル選択信号、動作モード選択信号、データ選択信号、固定選択信号、外部固定信号及び内部固定信号に応答して前記第１データまたは前記第２データのうち一つを選択する。
前記ＰＮ５１１シーケンス検出部は、前記第１または第２データのシンボルを受信してＰＮ５１１シーケンスを探すための相関値を発生させるスライディングＰＮ５１１相関器及び前記第１臨界値に応答して前記ＰＮ５１１相関器から出力される相関値のうち前記第１臨界値より大きい値だけを選択して前記ＰＮ５１１シーケンスに対応する相関値として出力し、前記同期信号発生部を動作させるための前記第１制御信号を発生させる相関フィルターを備える。
【００２１】
前記比較バッファ部は、ＰＮ５１１シーケンスに対応する相関値のうち最大相関値を受信して保存し、前記第２制御信号を発生させるバッファ部及び前記バッファ部に入力される次の最大相関値が前記第２臨界値より大きければ、前記第３制御信号を第１レベルに発生し、前記次の最大相関値が前記第２臨界値より小さければ、前記第３制御信号を第２レベルに発生する比較部を備える。
前記第２臨界値は、前記バッファ部に保存された最大相関値の一定比率に対応する値であることを特徴とする。一定比率は、７５％でありうる。
【００２２】
前記同期信号位置決定部は、前記第２制御信号に応答して次のフィールド同期信号及び次のセグメント同期信号の位置を決定するためにシンボルの数をカウントするカウンター部及び前記カウンター部の出力に応答して次のフィールド同期信号及び次のセグメント同期信号の位置が決定されれば、前記第４制御信号を第１レベルに発生し、次のフィールド同期信号及び次のセグメント同期信号の位置が決定されていなければ、前記第４制御信号を第２レベルに発生する計算部を備えることを特徴とする。
【００２３】
前記カウンター部は、前記第２制御信号に応答してセグメント同期信号の位置を決定するために８３２個のシンボルをカウントする第１カウンター及び前記第２制御信号に応答してフィールド同期信号の位置を決定するために３１３個のセグメントをカウントする第２カウンターを備えることを特徴とする。
前記同期信号有効決定部は、前記第３制御信号及び前記第４制御信号に応答してフィールド同期信号区間が有効に検出されると判断されれば、有効検出信号を発生させる有効検出信号発生部及び前記ＦＳＭから発生する内部固定信号を受信する固定検出部を備えることを特徴とする。
【００２４】
前記ＦＳＭは、前記有効検出信号を受信して保存する第１及び第２シフトレジスタ、前記第１シフトレジスタに保存された有効検出信号のレベルを検出して第１レベルの有効検出信号の数が第２レベルの有効検出信号の数より大きければ、第１レベルを有する第１出力信号を発生し、第１レベルの有効検出信号の数が第２レベルの有効検出信号の数より小さければ、第２レベルを有する第１出力信号を発生させるレベル検索部、前記第２シフトレジスタに保存された有効検出信号を論理和して第２出力信号を発生させる第１論理和手段、前記内部固定信号と前記第１出力信号とを論理和する第２論理和手段、前記第２論理和手段の出力と前記第２出力信号とを論理積する論理積手段及び前記論理積手段の出力を遅延させて前記内部固定信号として出力する遅延部を備えることを特徴とする。
【００２５】
前記ＦＳＭは、前記有効検出信号を保存し、保存された前記有効検出信号のうち第１レベルを有する前記有効検出信号の数が第２レベルを有する前記有効検出信号の数より大きければ、前記内部固定信号を活性化させ、第１レベルを有する前記有効検出信号の数が第２レベルを有する前記有効検出信号の数より小さければ、前記内部固定信号を非活性化させることを特徴とする。
【００２６】
前記データ選択部は、入力される第１または第２データが１５ＶＳＢ信号であれば、前記第１データを選択して出力し、８ＶＳＢ信号であれば、動作モード選択信号によって第１データまたは第２データのうち一つを選択して出力することを特徴とする。前記データ選択部は、前記動作モード選択信号が自動動作モードを選択すれば、前記第１データを選択して出力しつつ前記内部固定信号に応答して前記第２データを選択して出力し、前記動作モード選択信号が手動動作モードを選択すれば、データ選択信号によって選択された前記第１データまたは第２データのうち一つを選択して出力することを特徴とする。
前記第１データは、復調器の出力であり、前記第２データはＰＴＬの出力であることを特徴とする。
【００２７】
前記課題を達成するための本発明の第２実施例によるＶＳＢ同期信号検出回路は、データ選択部、ＰＮ５１１シーケンス検出部、バッファ部、同期信号位置決定部、ＰＮ６３相関器及び同期信号発生部を備えることを特徴とする。
データ選択部は、ＶＳＢレベル選択信号、動作モード選択信号、データ選択信号及び外部固定信号に応答して第１データまたは第２データのうち一つを選択して出力する。
【００２８】
ＰＮ５１１シーケンス検出部は、フィールド同期信号を検出するための第１臨界値に応答して受信された前記第１または第２データのシンボルの相関値のうちＰＮ５１１シーケンスに対応する相関値及び第１制御信号を出力する。
バッファ部は、前記ＰＮ５１１シーケンス検出部から出力される相関値のうち最大相関値を保存し、前記最大相関値の発生したシンボル位置を第２制御信号として発生する。
同期信号位置決定部は、前記第２制御信号に応答して次のフィールド同期信号及びセグメント同期信号の位置を決定して位置信号を発生させる。ＰＮ６３相関器は、前記データ選択部から出力される前記第１または第２データのＰＮ６３シーケンスに対する相関値を検出してフィールド同期信号の符号を決定する符号信号を発生させる。
同期信号発生部は、前記第１制御信号、前記位置信号及び前記符号信号に応答して色々な同期信号を出力する。
【発明の効果】
【００２９】
本発明によるＶＳＢ同期信号検出回路は、フィールド同期信号の位置を先に捜し出した後、フィールド同期信号の位置に基づいて多様な同期信号を発生させるので、チャンネル環境が劣るブラジルチャンネルでもフィールド同期信号を正確に検出できる。
【発明を実施するための最良の形態】
【００３０】
本発明と本発明の動作上の利点及び本発明の実施によって達成される目的を十分に理解するためには、本発明の望ましい実施例を例示する添付図面及び図面に記載された内容を参照しなければならない。
以下、添付した図面を参照して、本発明の望ましい実施例を説明することによって、本発明を詳細に説明する。各図面に示された同じ参照符号は、同じ部材を表す。
【００３１】
図６は、本発明の実施例によるＶＳＢ同期信号検出回路を示すブロック図である。
データ選択部６１０は、ＶＳＢレベル選択信号ＶＳＢＳＥＬ、動作モード選択信号ＭＯＤＥＳＥＬ、データ選択信号ＤＡＴＡＳＥＬ、固定選択信号ＬＯＣＫＳＥＬ、外部固定信号ＥＸＬＯＣＫ及び内部固定信号ＩＮＴＬＯＣＫに応答して第１データＤＡＴＡ１または第２データＤＡＴＡ２のうち一つを選択して出力する。
【００３２】
第１データＤＡＴＡ１は、復調器（図示せず）の出力であり、第２データＤＡＴＡ２はＰＴＬ（図示せず）の出力である。
ＶＳＢレベル選択信号ＶＳＢＳＥＬは、入力される第１または第２データＤＡＴＡ１，ＤＡＴＡ２が１５ＶＳＢ信号であるか８ＶＳＢ信号であるかを選択する信号である。入力される第１または第２データＤＡＴＡ１，ＤＡＴＡ２が１５ＶＳＢ信号であれば、データ選択部６１０は、第１データＤＡＴＡ１を選択して出力する。
第１または第２データＤＡＴＡ１，ＤＡＴＡ２が８ＶＳＢ信号であれば、データ選択部６１０は、動作モード選択信号ＭＯＤＥＳＥＬによって第１データＤＡＴＡ１または第２データＤＡＴＡ２のうち一つを選択して出力する。
【００３３】
動作モード選択信号ＭＯＤＥＳＥＬは、自動動作モードまたは手動動作モードを選択する信号である。データ選択部６１０は、動作モード選択信号ＭＯＤＥＳＥＬが自動動作モードを選択すれば、第１データＤＡＴＡ１を選択して出力しつつ内部固定信号ＩＮＴＬＯＣＫに応答して第２データＤＡＴＡ２を選択して出力する。
第２データＤＡＴＡ２が第１データＤＡＴＡ１よりさらに安定した信号である。第２データＤＡＴＡ２は、図３に示されたようにＮＦＲ３３０、等化器３４０及びＰＴＬ３５０によって雑音が多く除去された信号であるためである。
【００３４】
自動動作モードでＶＳＢ同期信号検出回路６００は、一旦第１データＤＡＴＡ１を受信してフィールド同期信号ＦＩＥＬＤＳＹＮＣを検出する。フィールド同期信号ＦＩＥＬＤＳＹＮＣが検出されて内部固定信号ＩＮＴＬＯＣＫが発生すれば、第２データＤＡＴＡ２は、非常に安定した信号となる。これにより、ＶＳＢ同期信号検出回路６００は、自動的に第１データＤＡＴＡ１の代わりに第２データＤＡＴＡ２を利用してフィールド同期信号ＦＩＥＬＤＳＹＮＣを検出する。
【００３５】
本発明のＶＳＢ同期信号検出回路６００で自動動作モードをおく理由は、ＶＳＢ同期信号検出回路６００の動作の堅固性を保証するためである。もし、第２データＤＡＴＡ２を利用してフィールド同期信号ＦＩＥＬＤＳＹＮＣを検出する中に内部固定信号ＩＮＴＬＯＣＫが非活性化されれば、すなわち、第２データＤＡＴＡ２に雑音が多く含まれてフィールド同期信号ＦＩＥＬＤＳＹＮＣを検出し難くなれば、データ選択部６１０は、再び第１データＤＡＴＡ１を選択して出力する。
【００３６】
自動動作モードで内部固定信号ＩＮＴＬＯＣＫに応答して第１データＤＡＴＡ１または第２データＤＡＴＡ２を選択せず、外部固定信号ＥＸＬＯＣＫに応答して第１データＤＡＴＡ１または第２データＤＡＴＡ２を選択することもある。外部固定信号ＥＸＬＯＣＫは、使用者が外部から印加する。外部固定信号ＥＸＬＯＣＫを利用しているか内部固定信号ＩＮＴＬＯＣＫを利用しているか否かは、固定選択信号ＬＯＣＫＳＥＬによって決定される。
【００３７】
動作モード選択信号ＭＯＤＥＳＥＬが手動動作モードを選択すれば、データ選択信号ＤＡＴＡＳＥＬによって選択された第１データＤＡＴＡ１または第２データＤＡＴＡ２のうち一つを選択して出力する。すなわち、手動動作モードでは第１データＤＡＴＡ１または第２データＤＡＴＡ２のうち一つを使用者が選択し、ＶＳＢ同期信号検出回路６００は、選択された第１データＤＡＴＡ１または第２データＤＡＴＡ２のうち一つを利用してフィールド同期信号ＦＩＥＬＤＳＹＮＣを検出する。
データ選択信号ＤＡＴＡＳＥＬは、第１データＤＡＴＡ１を選択するか、または第２データＤＡＴＡ２を選択するかを決定する信号である。
【００３８】
ＰＮ５１１シーケンス検出部６２０は、フィールド同期信号ＦＩＥＬＤＳＹＮＣを検出するための第１臨界値ＴＨＲＥＳＨＯＬＤ１に応答して受信された第１または第２データＤＡＴＡ１，ＤＡＴＡ２のシンボルの相関値のうちＰＮ５１１シーケンスに対応する相関値５１１ＣＯＲＶＡＬ及び第１制御信号ＣＴＲＬ１を出力する。
ＰＮ５１１シーケンス検出部６２０は、スライディングＰＮ５１１相関器６２１及び相関フィルター６２３を備える。スライディングＰＮ５１１相関器６２１は、第１または第２データＤＡＴＡ１，ＤＡＴＡ２のシンボルを受信してＰＮ５１１シーケンスを探すための相関値を発生する。
【００３９】
説明の便宜上、第１データＤＡＴＡ１がスライディングＰＮ５１１相関器６２１に入力されると仮定する。スライディングＰＮ５１１相関器６２１は、第１データＤＡＴＡ１に対して相関動作を行って相関値を出力する。第１データＤＡＴＡ１のうちフィールド同期信号ＦＩＥＬＤＳＹＮＣに対応する相関値は、フィールド同期信号ＦＩＥＬＤＳＹＮＣ以外のデータ部分に対応する相関値に比べて大きい値である。
【００４０】
相関フィルター６２３は、第１臨界値ＴＨＲＥＳＨＯＬＤ１に応答してスライディングＰＮ５１１相関器６２１から出力される相関値のうち第１臨界値ＴＨＲＥＳＨＯＬＤ１より大きい値だけを選択してＰＮ５１１シーケンスに対応する相関値５１１ＣＯＲＶＡＬとして出力する。また相関フィルター６２３は、同期信号発生部６８０を動作させるための第１制御信号ＣＴＲＬ１を発生する。
【００４１】
第１臨界値ＴＨＲＥＳＨＯＬＤ１は、ＶＳＢ信号のＰＮ５１１シーケンスに対応する相関値５１１ＣＯＲＶＡＬを求めるための値である。スライディングＰＮ５１１相関器６２１から出力される相関値が第１臨界値ＴＨＲＥＳＨＯＬＤ１より小さな値であれば、その相関値がスライディングＰＮ５１１相関器６２１から出力される相関値のうち最大値であってもＶＳＢ信号ではない。
【００４２】
すなわち、相関フィルター６２３は、第１臨界値ＴＨＲＥＳＨＯＬＤ１を利用してスライディングＰＮ５１１相関器６２１に入力される第１データＤＡＴＡ１がＶＳＢ信号であるか否かを判断する。相関フィルター６２３は、第１臨界値ＴＨＲＥＳＨＯＬＤ１より大きい相関値をＰＮ５１１シーケンスに対応する相関値５１１ＣＯＲＶＡＬとして出力し、第１制御信号ＣＴＲＬ１を同期信号発生部６８０に出力する。第１制御信号ＣＴＲＬ１は、同期信号発生部６８０を駆動させる信号である。
【００４３】
比較バッファ部６３０は、ＰＮ５１１シーケンス検出部６２０から出力される相関値５１１ＣＯＲＶＡＬのうち最大相関値を保存し、最大相関値の発生したシンボル位置を第２制御信号ＣＴＲＬ２として発生し、受信される次の最大相関値がＰＮ５１１シーケンスに対応する有効な相関値であることを判断するための第２臨界値ＴＨＲＥＳＨＯＬＤ２に応答して次の最大相関値と第２臨界値ＴＨＲＥＳＨＯＬＤ２とを比較し、比較結果によって第３制御信号ＣＴＲＬ３を発生する。
【００４４】
比較バッファ部６３０は、バッファ部６３１と比較部６３３とを備える。バッファ部６３１は、ＰＮ５１１シーケンスに対応する相関値のうち最大相関値を受信して保存し、第２制御信号ＣＴＲＬ２を発生する。
バッファ部６３１は、相関フィルター６２３から出力される相関値５１１ＣＯＲＶＡＬのうち最大相関値を保存し、最大相関値の発生したシンボルの位置を認識して第２制御信号ＣＴＲＬ２として出力する。そして、バッファ部６３１は、保存された最大相関値を比較部６３３に印加し、相関フィルター６２３から次の最大相関値を受信して保存する。
【００４５】
比較部６３３は、バッファ部６３１に入力される次の最大相関値を受信し、次の最大相関値が第２臨界値ＴＨＲＥＳＨＯＬＤ２より大きければ、第３制御信号ＣＴＲＬ３を第１レベルに発生し、次の最大相関値が第２臨界値ＴＨＲＥＳＨＯＬＤ２より小さければ、第３制御信号ＣＴＲＬ３を第２レベルに発生する。
【００４６】
第２臨界値ＴＨＲＥＳＨＯＬＤ２は、バッファ部６３１に保存される最大相関値がＰＮ５１１シーケンスに対応する有効な相関値であることを保証するための値である。バッファ部６３１に保存される最大相関値が一定した基準値以上になってこそＰＮ５１１シーケンスに対応する有効な相関値として判断されうる。
【００４７】
第２臨界値ＴＨＲＥＳＨＯＬＤ２は、バッファ部６３１に保存された最大相関値の一定比率に対応する値である。一定比率は、７５％でありうる。すなわち、次の最大相関値が以前に保存された最大相関値の７５％以上になれば、次の最大相関値は、ＰＮ５１１シーケンスに対応する有効な相関値と見なせる。
【００４８】
比較部６３３は、次の最大相関値が以前に保存された最大相関値の７５％以上になれば、第３制御信号ＣＴＲＬ３を第１レベルに発生する。第３制御信号ＣＴＲＬ３は、同期信号有効検出部６５０を駆動させる信号である。第３制御信号ＣＴＲＬ３が第１レベルに発生すれば、同期信号有効決定部６５０は駆動され、第３制御信号ＣＴＲＬ３が第２レベルに発生すれば、同期信号有効決定部６５０は駆動されない。
【００４９】
同期信号位置決定部６４０は、第２制御信号ＣＴＲＬ２に応答して次のフィールド同期信号ＦＩＥＬＤＳＹＮＣ及びセグメント同期信号の位置を決定して第４制御信号ＣＴＲＬ４を発生する。
同期信号位置決定部６４０は、カウンター部６４１及び計算部６４３を備える。カウンター部６４１は、第２制御信号ＣＴＲＬ２に応答して次のフィールド同期信号ＦＩＥＬＤＳＹＮＣ及び次のセグメント同期信号の位置を決定するためにシンボルの数をカウントする。
【００５０】
第２制御信号ＣＴＲＬ２は、最大相関値の発生したシンボルの位置に関する情報であるので、カウンター部６４１は、最大相関値の発生したシンボルの位置を“０”に設定し、シンボルの数をカウントする。
カウンター部６４１は、第１カウンター（図示せず）及び第２カウンター（図示せず）を備える。第１カウンターは、第２制御信号ＣＴＲＬ２に応答してセグメント同期信号の位置を決定するために８２８個のシンボルをカウントし、かつリセットされる。
第２カウンターは、第２制御信号ＣＴＲＬ２に応答してフィールド同期信号ＦＩＥＬＤＳＹＮＣの位置を決定するために３１３個のセグメントをカウントし、かつリセットされる。
【００５１】
計算部６４３は、カウンター部６４１の出力に応答して次のフィールド同期信号ＦＩＥＬＤＳＹＮＣ及び次のセグメント同期信号の位置を決定する。最大相関値の発生したシンボルの位置がＰＮ５１１シーケンスに対応するシンボルの位置であるので、その位置から８２８シンボルレングスだけ離れたシンボル位置がセグメント同期信号に対応するシンボル位置となる。
【００５２】
同様に、最大相関値の発生したシンボルの位置フィールド同期信号ＦＩＥＬＤＳＹＮＣの位置であるので、その位置から３１３セグメントレングスだけ離れた位置がフィールド同期信号ＦＩＥＬＤＳＹＮＣの位置となる。
計算部６４３は、次のセグメント同期信号と次のフィールド同期信号ＦＩＥＬＤＳＹＮＣとの位置が決定されれば、第４制御信号ＣＴＲＬ４を第１レベルに発生し、次のフィールド同期信号ＦＩＥＬＤＳＹＮＣ及び次のセグメント同期信号の位置が決定されていなければ、第４制御信号ＣＴＲＬ４を第２レベルに発生する。
【００５３】
同期信号有効決定部６５０は、第３制御信号ＣＴＲＬ３及び第４制御信号ＣＴＲＬ４に応答してフィールド同期信号ＦＩＥＬＤＳＹＮＣ区間が有効に検出されると判断されれば、有効検出信号ＶＡＬＩＤＳを発生し、内部固定信号ＩＮＴＬＯＣＫを受信する。
同期信号有効決定部６５０は、有効検出信号発生部６５１及び固定検出部６５３を備える。有効検出信号発生部６５１は、第３制御信号ＣＴＲＬ３及び第４制御信号ＣＴＲＬ４に応答してフィールド同期信号ＦＩＥＬＤＳＹＮＣが有効に検出されると判断されれば、有効検出信号ＶＡＬＩＤＳを第１レベルに発生する。
【００５４】
第３制御信号ＣＴＲＬ３及び第４制御信号ＣＴＲＬ４が有効検出信号発生部６５１に印加されれば、次のフィールド同期信号ＦＩＥＬＤＳＹＮＣの位置が有効に検出されたことを意味する。有効なフィールド同期信号ＦＩＥＬＤＳＹＮＣが発生し、維持し続けられるためには本発明のＶＳＢ同期信号検出回路６００は、次の条件を満足しなければならない。
【００５５】
第一に、第２制御信号ＣＴＲＬ２が有効に発生しなければならない。すなわち、最大相関値がバッファ部６３１に保存され、対応するシンボルの位置が認識されなければならない。第二に、スライディングＰＮ５１１相関器６２１から出力される相関値のうち相関フィルター６２３によって第１臨界値ＴＨＲＥＳＨＯＬＤ１より大きい相関値だけフィルターリングされなければならない。
第三に、次の最大相関値がバッファ部６３１に保存された以前の最大相関値の一定比率より大きくなければならない。以前の最大相関値の一定比率とは、第２臨界値ＴＨＲＥＳＨＯＬＤ２を意味する。第四に、次の最大相関値が発生する位置が計算部６４３によって次のフィールド同期信号ＦＩＥＬＤＳＹＮＣの位置であると推定される位置と一致しなければならない。
【００５６】
前記の４つの条件が満足されれば、ＶＳＢ同期信号検出回路６００は、スライディングＰＮ５１１相関器６２１から出力される相関値から有効なフィールド同期信号ＦＩＥＬＤＳＹＮＣの位置を検出できる。
前記の４つの条件が満足されること以外にも、フィールド同期信号ＦＩＥＬＤＳＹＮＣの正確な位置を検出するためにＶＳＢ同期信号検出回路６００は、ＦＳＭ ６６０を備える。
【００５７】
図７は、図６のＦＳＭを示すブロック図である。
ＦＳＭ ６６０は、有効検出信号ＶＡＬＩＤＳに応答してフィールド同期信号ＦＩＥＬＤＳＹＮＣが安定的に検出されるか否かによって内部固定信号ＩＮＴＬＯＣＫを発生させる。ＦＳＭ ６６０は、有効検出信号ＶＡＬＩＤＳを保存し、保存された有効検出信号ＶＡＬＩＤＳのうち第１レベルを有する有効検出信号ＶＡＬＩＤＳの数が第２レベルを有する有効検出信号ＶＡＬＩＤＳの数より大きければ、内部固定信号ＩＮＴＬＯＣＫを活性化させる。
ＦＳＭ ６６０は、第１レベルを有する有効検出信号ＶＡＬＩＤＳの数が第２レベルを有する有効検出信号ＶＡＬＩＤＳの数より小さければ、内部固定信号ＩＮＴＬＯＣＫを非活性化させる。有効検出信号ＶＡＬＩＤＳは、毎フィールドごとに発生し、有効検出信号ＶＡＬＩＤＳが第１レベルに発生するということは、フィールド同期信号ＦＩＥＬＤＳＹＮＣの位置が正確に検出されるということを意味する。
【００５８】
図７を参照すれば、ＦＳＭ ６６０は、第１及び第２シフトレジスタ７１０，７２０、レベル検索部７３０、第１及び第２論理和手段ＯＲ１，ＯＲ２、論理積手段７４０及び遅延部７５０を備える。
第１及び第２シフトレジスタ７１０，７２０は、有効検出信号ＶＡＬＩＤＳを受信して保存する。第１シフトレジスタ７１０は、Ｍ（自然数）個の有効検出信号ＶＡＬＩＤＳを保存しうる。第２シフトレジスタ７２０は、Ｎ（自然数）個の有効検出信号ＶＡＬＩＤＳを保存しうる。ここで、ＭとＮとは、同じであっても異なってもよい。
レベル検索部７３０は、第１シフトレジスタ７１０に保存された有効検出信号ＶＡＬＩＤＳのレベルを検出して第１レベルの有効検出信号ＶＡＬＩＤＳの数が第２レベルの有効検出信号ＶＡＬＩＤＳの数より大きければ、第１レベルを有する第１出力信号ＯＵＴＳ１を発生する。
【００５９】
一方、レベル検索部７３０は、第１シフトレジスタ７１０に保存された第１レベルの有効検出信号ＶＡＬＩＤＳの数が第２レベルの有効検出信号ＶＡＬＩＤＳの数より小さければ、第２レベルを有する第１出力信号ＯＵＴＳ１を発生する。
説明の便宜上、第１レベルをハイレバルに設定し、第２レベルをローレベルに設定する。レベル検索部７３０は、多数の法則によって動作される。すなわち、ハイレバルの数が多ければ、ハイレバルの第１出力信号ＯＵＴＳ１を出力し、ローレベルの数が多ければ、ローレベルの第１出力信号ＯＵＴＳ１を出力する。
【００６０】
第１論理和手段ＯＲ１は、第２シフトレジスタ７２０に保存された有効検出信号ＶＡＬＩＤＳを論理和して第２出力信号ＯＵＴＳ２を発生する。
例えば、第１及び第２シフトレジスタ７１０，７２０が各々３つの有効検出信号ＶＡＬＩＤＳを保存しうると仮定する。第１及び第２シフトレジスタ７１０，７２０に保存された有効検出信号ＶＡＬＩＤＳは“０１１”といえば、レベル検索部７３０は第１出力信号ＯＵＴＳ１をハイレベルに出力し、第１論理和手段ＯＲ１は、第２出力信号ＯＵＴＳ２をハイレベルに出力する。
【００６１】
第２論理和手段ＯＲ２は、内部固定信号ＩＮＴＬＯＣＫと第１出力信号ＯＵＴＳ１とを論理和する。内部固定信号ＩＮＴＬＯＣＫは、ローレベルであると仮定する。すなわち、まだ有効なフィールド同期信号ＦＩＥＬＤＳＹＮＣが検出されていない状態である。第２論理和手段ＯＲ２は、ハイレバルの信号を出力する。
【００６２】
論理積手段７４０は、第２論理和手段ＯＲ２の出力と第２出力信号ＯＵＴＳ２とを論理積するので、論理積手段７４０はハイレバルを出力する。論理積手段７４０の出力は、遅延部７５０を通じて内部固定信号ＩＮＴＬＯＣＫとして発生し、内部固定信号ＩＮＴＬＯＣＫがハイレバルに発生するので、有効なフィールド同期信号ＦＩＥＬＤＳＹＮＣが検出されていることを意味する。内部固定信号ＩＮＴＬＯＣＫは、固定検出部６５３と同期信号発生部６８０とに印加される。
【００６３】
次のフィールドで有効検出信号ＶＡＬＩＤＳがローレベルに発生して第１及び第２シフトレジスタ７１０，７２０に保存された有効検出信号ＶＡＬＩＤＳが“００１”に変換されると仮定する。これにより、レベル検索部７３０は、第１出力信号ＯＵＴＳ１をローレベルに出力し、第１論理和手段ＯＲ１は、第２出力信号ＯＵＴＳ２をハイレベルに出力する。
【００６４】
第２論理和手段ＯＲ２は、内部固定信号ＩＮＴＬＯＣＫと第１出力信号ＯＵＴＳ１とを論理和する。第１出力信号ＯＵＴＳ１がローレベルであるが、内部固定信号ＩＮＴＬＯＣＫがハイレバルであるので、第２論理和手段ＯＲ２はハイレバルの信号を出力する。
論理積手段７４０は、第２論理和手段ＯＲ２の出力と第２出力信号ＯＵＴＳ２とを論理積するので、論理積手段７４０はハイレバルを出力する。論理積手段７４０の出力は、遅延部７５０を通じて内部固定信号ＩＮＴＬＯＣＫとして発生し、内部固定信号ＩＮＴＬＯＣＫがハイレバルに発生するので、ＶＳＢ同期信号検出回路６００は相変らず有効なフィールド同期信号ＦＩＥＬＤＳＹＮＣを検出していることが分かる。
【００６５】
次のフィールドでも有効検出信号ＶＡＬＩＤＳがローレベルに発生して第１及び第２シフトレジスタ７１０，７２０に保存された有効検出信号ＶＡＬＩＤＳが“０００”に変換されると仮定する。これにより、レベル検索部７３０は、第１出力信号ＯＵＴＳ１をローレベルに出力し、第１論理和手段ＯＲ１も第２出力信号ＯＵＴＳ２をローレベルに出力する。
【００６６】
第２論理和手段ＯＲ２は、内部固定信号ＩＮＴＬＯＣＫと第１出力信号ＯＵＴＳ１とを論理和する。第１出力信号ＯＵＴＳ１がローレベルであるが、内部固定信号ＩＮＴＬＯＣＫがハイレバルであるので、第２論理和手段ＯＲ２はハイレバルの信号を出力する。
論理積手段７４０は、第２論理和手段ＯＲ２の出力と第２出力信号ＯＵＴＳ２とを論理積するので、ローレベルを出力する。論理積手段７４０の出力は、遅延部７５０を通じて内部固定信号ＩＮＴＬＯＣＫとして発生して内部固定信号ＩＮＴＬＯＣＫがローレベルに発生するので、ＶＳＢ同期信号検出回路６００は、フィールド同期信号ＦＩＥＬＤＳＹＮＣを検出しないことが分かる。
すなわち、本発明によるＶＳＢ同期信号検出回路６００は、ＦＳＭ ６６０を利用して色々なフィールドのデータから正確なフィールド同期信号ＦＩＥＬＤＳＹＮＣを検出しうる。
【００６７】
ＰＮ６３相関器６７０は、データ選択部６１０から出力される第１または第２データＤＡＴＡ１，ＤＡＴＡ２のＰＮ６３シーケンスに対応する相関値を検出し、フィールド同期信号ＦＩＥＬＤＳＹＮＣの符号を決定する第５制御信号ＣＴＲＬ５を発生させる。第５制御信号ＣＴＲＬ５は、毎フィールドごとに符号極性が反対に変換される。
同期信号発生部６８０は、第１、第４及び第５制御信号ＣＴＲＬ１，ＣＴＲＬ４，ＣＴＲＬ５と内部固定信号ＩＮＴＬＯＣＫとに応答して色々な同期信号ＳＹＮＣ ＳＩＧＮＡＬＳを出力する。第１制御信号ＣＴＲＬ１によって同期信号発生部６８０が駆動される。
【００６８】
第４制御信号ＣＴＲＬ４は、フィールド同期信号ＦＩＥＬＤＳＹＮＣが発生する位置に関する情報を有しており、第５制御信号ＣＴＲＬ５は、フィールド同期信号ＦＩＥＬＤＳＹＮＣの符号極性に対する情報である。内部固定信号ＩＮＴＬＯＣＫが活性化されれば、同期信号発生部６８０は、第１、第４及び第５制御信号ＣＴＲＬ１，ＣＴＲＬ４，ＣＴＲＬ５に応答してフィールド同期信号ＦＩＥＬＤＳＹＮＣを発生する。
【００６９】
同期信号発生部６８０は、フィールド同期信号ＦＩＥＬＤＳＹＮＣ以外にセグメント同期信号ＳＥＧ ＳＹＮＣやその他の必要な同期信号を出力しうる。内部固定信号ＩＮＴＬＯＣＫが非活性化されれば、同期信号発生部６８０は、フィールド同期信号ＦＩＥＬＤＳＹＮＣの正確な位置を発見していないので、同期信号を出力しない。
【００７０】
本発明の第２実施例によるＶＳＢ同期信号検出回路は、第１実施例によるＶＳＢ同期信号検出回路６００の構成要素のうち同期信号有効検出部６５０、ＦＳＭ ６６０及び比較部６３３を除外した残りの構成要素で構成される。
すなわち、本発明の第２実施例によるＶＳＢ同期信号検出回路は、データ選択部６１０、ＰＮ５１１シーケンス検出部６２０、バッファ部６３１、同期信号位置決定部６４０、ＰＮ６３相関器６７０及び同期信号発生部６８０を備える。第２実施例によるＶＳＢ同期信号検出回路を構成する構成要素の機能は、図６に示されたＶＳＢ同期信号検出回路６００と同じであるので、ここで詳細な説明を省略する。
【００７１】
以上のように、図面と明細書とで最適の実施例が開示された。ここで、特定な用語が使われたが、これは単に本発明を説明するための目的で使われたものであり、意味限定や特許請求の範囲に記載された本発明の範囲を制限するために使われたものではない。したがって、当業者なら、これから多様な変形及び均等な他の実施例が可能であることが分かる。したがって、本発明の真の技術的保護範囲は、特許請求の範囲の技術的思想によって決まらなければならない。
【産業上の利用可能性】
【００７２】
本発明は、同期信号を検出するための同期信号検出回路に係り、特に、ＤＴＶ受信装置に利用されうる。
【図面の簡単な説明】
【００７３】
【図１】ＤＴＶに伝送されるＶＳＢデータフレームの構造を示す図面である。
【図２】図１のフィールド同期信号の具体的な構造を示す図面である。
【図３】一般的なＤＴＶ受信機の構造を示すブロック図である。
【図４】図３の同期検出回路を示すブロック図である。
【図５】図３の同期検出回路から出力される同期信号を説明するタイミング図である。
【図６】本発明の実施例によるＶＳＢ同期信号検出回路を示すブロック図である。
【図７】図６のＦＳＭを示すブロック図である。
【符号の説明】
【００７４】
６００    ＶＳＢ同期信号検出回路
６１０    データ選択部
６２０    ＰＮ５１１シーケンス検出部
６２１    ＰＮ５１１相関器
６２３    相関フィルター
６３０    比較バッファ部
６３１    バッファ部
６３３    比較部
６４０    同期信号位置決定部
６４１    カウンター部
６４３    計算部
６５０    同期信号有効決定部
６５１    有効検出信号発生部
６５３    固定検出部
６６０    ＦＳＭ
６７０    ＰＮ６３相関器
６８０    信号発生部
ＤＡＴＡ１    第１データ
ＤＡＴＡ２    第２データ
ＶＳＢＳＥＬ    レベル選択信号
ＭＯＤＥＳＥＬ    動作モード選択信号
ＤＡＴＡＳＥＬ    データ選択信号
ＬＯＣＫＳＥＬ    固定選択信号
ＥＸＬＯＣＫ    外部固定信号
ＩＮＴＬＯＣＫ    内部固定信号
ＦＩＥＬＤ ＳＹＮＣ    フィールド同期信号
ＴＨＲＥＳＨＯＬＤ１    第１臨界値
ＴＨＲＥＳＨＯＬＤ２    第２臨界値
５１１ＣＯＲＶＡＬ    相関値
ＣＴＲＬ１，ＣＴＲＬ２，ＣＴＲＬ３，ＣＴＲＬ４    第１ないし第４制御信号
ＶＡＬＩＤＳ    有効検出信号
【図１】
2004242325.tif 000003
【図２】
2004242325.tif 000004
【図３】
2004242325.tif 000005
【図４】
2004242325.tif 000006
【図５】
2004242325.tif 000007
【図６】
2004242325.tif 000008
【図７】
2004242325.tif 000009